(57)【要約】【課題】  エレベータ設置後、工事中における床面と天井面の間の間隔に応じて伸縮可能な工事用エレベータの昇降路保護装置を提供する。【解決手段】  多層建築物の各階を貫いて設置される、工事用エレベータの昇降路を囲み安全を確保するための昇降路保護装置として、昇降路として床面１４に設けられた開口部１６を有し、開口部１６の周囲に支柱２１を設けるとともに、当該支柱２１を利用して昇降路を囲む囲み２２を設け、また囲み２２の一部に搬器１７への乗り降りのための開閉部２３を設け、さらに設置後工事中における床面１４と天井面１５の間隔の変化に応じて伸縮可能な伸縮部を支柱２１に設けたことを特徴とする。【選択図】          図１
2005206350.tif 000002
【特許請求の範囲】
【請求項１】
多層建築物の各階を貫いて設置される、工事用エレベータの昇降路を囲み安全を確保するための昇降路保護装置であって、昇降路として床面に開けられた開口部を有し、開口部の周囲に支柱を設けるとともに、当該支柱を利用して昇降路を囲む囲みを設け、また囲みの一部に搬器への乗り降りのための開閉部を設け、さらに設置後工事中における床面と天井面の間隔の変化に応じて伸縮可能な伸縮部を支柱に設けたことを特徴とする工事用エレベータの昇降路保護装置。
【請求項２】
支柱は、床面又は天井面に設けた受け部に一端を差し込み、天井面又は床面に他端を突き当てて固定される構造を有しており、かつ突き当て部に伸縮部を設けている請求項１記載の工事用エレベータの昇降路保護装置。
【請求項３】
伸縮部は、支柱の上端に出没可能に設けられた伸縮桿と、伸縮桿に螺合させた上部ばね受け及び支柱の上端に設けた下部ばね受けそして上部、下部ばね受け間に介装した圧縮ばねを有している請求項１又は２記載の工事用エレベータの昇降路保護装置。
【請求項４】
囲みは、所要の大きさのパネル板を組み合わせて構成され、各パネル板の上下には係合部が設けられており、支柱の上下部分に横に架設された架材に、係合部による係合で取り付けられている請求項１記載の工事用エレベータの昇降路保護装置。
【発明の詳細な説明】
【技術分野】
【０００１】
本発明は、多層建築物の各階を貫いて設置される、工事用エレベータの昇降路を囲み、安全を確保するための昇降路保護装置に関するものである。
【背景技術】
【０００２】
ビル建築のような多層建築物の工事において、建築構造物内部に工事用エレベータを設置する場合、床面に開口部を設けて各階を貫く昇降路を設置する必要がある。開口部は、工事用エレベータの搬器を通せるだけの大きさを有する空所であるから、人や物などをそこから落下させる危険性がある。工事現場に立ち入ることができる者は限られており、しかも危険性を各自十分認識しているとしても、開口をそのまま放置しておくことが好ましくないことは明らかである。
【０００３】
このような昇降路の安全性確保を目的として保護装置を設ける場合、開口部周囲を囲むことになり、その囲みを取り付ける支柱類が必要である。しかしながら支柱類を支える床面と天井面の間隔は一定ではなく、工事が進み、コンクリートが打設されるにつれて、各床の自重が増加し床面が下がるために次第に間隔が小さくなる傾向がある。このような状況を十分考慮することなく支柱を設置すると、支柱が荷重に耐えられなくなり、曲がりを生じたり、或いは破壊に耐えられなくなり、破壊に到る可能性がある。
【０００４】
【特許文献１】特開２００２−３０８５５０号
【特許文献２】特開平１０−２６５１４９号
【発明の開示】
【発明が解決しようとする課題】
【０００５】
本発明は前記の点に着目してなされたもので、その課題は、エレベータ設置後工事中における床面と天井面の間の間隔の変化に応じて伸縮可能な工事用エレベータの昇降路保護装置を提供することである。また本発明の他の課題は、工事用エレベータまわりの安全性を高められる昇降路保護装置を提供することである。
【課題を解決するための手段】
【０００６】
前記の課題を解決するため本発明は、多層建築物の各階を貫いて設置される。工事用エレベータの昇降路を囲み安全を確保するための昇降路保護装置について、昇降路として床面に開けられた開口部を有し、開口部の周囲に支柱を設けるとともに、当該支柱を利用して昇降路を囲む囲みを設け、また囲みの一部に搬器への乗り降りのための開閉部を設け、さらに設置後工事中における床面と天井面の間隔の変化に応じて伸縮可能な伸縮部を支柱に設けるという手段を講じたものである。
【０００７】
工事用エレベータを設置する昇降路は、多層建築物の各階を貫いて設置される。工事用エレベータは、極く初期の段階で設置されなければ意義を失するので、通常、工事用エレベータを設置する時点は、建築物の柱と梁が組み上がっている段階である。このような段階にある多層建築物の床面に開口部を開け、開口部の周囲に支柱を設ける。この段階では梁間にデッキプレートを張り渡した程度の軽荷状態であり、その後工事が進行して打設コンクリート量が増すにつれて自重が増加し、床面が下がる状態となる。
【０００８】
支柱は、床面及び天井面に容易に着脱し得るように、また用済み後撤去するときに、建築物に跡を残さないように、床面と天井面に、夫々下端と上端を突き立てるようにして設置する。そのために、支柱の一端を差し込んで固定することができる受け部を床面又は天井面に設け、支柱の他端は床面又は天井面に突き当てる力で固定されるようにする。この突き当てる力は、例えばねじジャッキのような強力な作用力が持続的に得られる手段を用いる。こうした、受け部への差し込みと、床面又は天井面に対する突き当てを固定手段とすることによって、装着と撤去が容易化し、ボルト止めや溶接等による固定手段のように面倒な作業を必要とせず、撤去後も跡を殆んど残さずに済む。また必要な固定力と緩衝効果を同時に得ることができる。
【０００９】
設置後工事中における床面と天井面との間隔の変化については前述したように、予定されている事項であり、これを吸収して、変形や破壊を免れるために支柱に伸縮部を設けている。伸縮部は、支柱のどこに設けても良く、また請求項１に係る発明では、その伸縮構成としてどのようなものであるべきかということについても限定しない。つまり自由な伸縮構成を適用することができる。但し、支柱の設置後に支柱に圧縮力が加えられるであろうということ、またその圧縮力が時間とともに増大するであろうということを考慮する
と、圧縮力の変化に対応しつつ目的とする支柱を固定し、かつまたそれに加わる様々の荷重に耐えねばならない。このため、ばねのような弾圧力を利用することが好ましい効果を奏する。
【００１０】
支柱は、昇降路を囲む囲みを設けるための手段である。故に昇降路を囲んで何本もの支柱を列設し、隣接の支柱間にパネル板を取り付けて囲みを形成するとともに、その一部に開閉部を設けて搬器への出入り口を確保する。囲みは、上記のパネル板、ネット、可撓性のある板材等を用いて形成することができる。本発明では、パネル板を用いて囲みの主要部分を形成し、パネル板により囲み難い箇所、例えば下方の床面とパネル板との間、或いは上方の天井面とパネル板との間、若しくはパネル板同士の間にネットや可撓性板材などを用いて、完全な囲みを形成することができる。しかし完全な囲みでなくても本発明の目的は相当程度達成される。
【００１１】
囲みの主な要素となるパネル板の取り付けのために、支柱同士の下部及び上部に夫々架材を架設し、その架材に係合可能な係合部を利用してパネル板を取り付ける方法が適用される。係合部は、上部架材に引っ掛けることができるようにフック状の部分を有する。またフック状の部分には、下部架材及び上部架材に引っ掛けたフック状部分が外れないように外れ止めを設けることができる。パネル板それ自体は、例えば妻側用養生わくなどと通称されている一定の形状を有する製品などを流用することができるが、枠にネットやパンチングメタル板などを張設したような、軽量で、或る程度の透視性を有するものであればパネル板として好適に使用することができる。
【発明の効果】
【００１２】
本発明は以上の如く構成されかつ作用するものであるから、工事用エレベータの昇降路を囲む囲みが、伸縮可能な支柱によって設けられており、施工の初期段階からコンクリート打設が進行してエレベータ設置後における床面と天井面の間の間隔が変化しても全く支障なく使用し続けることができ、全工期を通して工事用エレベータまわりの安全性を高められるという効果を奏する。
【発明を実施するための最良の形態】
【００１３】
以下図面を参照して、本発明の工事用エレベータの昇降路保護装置１０をより詳細に説明する。まず、図１は本発明の装置１０が設置された状況を平面図で示したものである。図において、１１は建築物の柱、１２は梁、１３はデッキプレートであり、或る階の床面１４であると同時に、その下の階においては天井面１５である。図３、図５、図７及び図８等参照。
【００１４】
デッキプレート１３には、多層建築物の各階を貫く工事用エレベータの昇降路として、開口部１６が設けられている。開口部１６の内部には工事用エレベータの搬器１７、その昇降動力装置１８及び昇降用レール１９が設けられている。また、開口部１６の周囲には支柱２１が適当数設置されている。開口部１６の周囲には、支柱２１を利用して囲み２２が設けられるが、囲み２２の一部には搬器１７への乗り降りのための開閉部２３が設けられる。開閉部側では、資材や荷物、人員の乗降の邪魔にならないように支柱２１を配置する。
【００１５】
支柱２１は、囲み２２に必要となる構造強度を負担する枢要な部材であり、天井面１５及び床面１４の前述の梁１２や小梁１２´に先端部を突き当てて固定されることを特徴とする。例示の支柱２１は、図８（ａ）、（ｂ）に、より詳細に図示されており、パイプより成る外筒２５とその上部から伸縮可能に差し込んだ内筒２６、両筒２５、２６の伸縮方向に開けられた調節孔２７に差し込んで大まかな長さ調節を行うためのピン２８、内筒２６の上端から伸縮可能に差し込んだ伸縮桿２９を有している。伸縮桿２９はおねじ構造を有する棒状部材であり、それに上部ばね受け３１と一体に上下動可能なめねじ構造を有する操作部材３２が螺合していて、支柱内筒２６の上端に設けた下部ばね受け３３と上部ばね受け３１との間に介装した圧縮ばね３４の弾圧力を上端の当て部材３５に及ぼしてい
る。
【００１６】
このような伸縮構成を有する支柱２１は、例示の場合、床面側の梁１２に溶接するなどして設けた受け部３６に下端２４を差し込み、ワンタッチで固定できるように構成されている。また支柱２１の上端は、天井面側の小梁１２´に当て部材３５を突き当てて固定するように構成されている。受け部３６は、梁１２などに溶接して用いるが、これらは事後のコンクリート打設によりコンクリート中に埋没するものであり、そのような処理をしても何等悪影響を生じることがない。
【００１７】
開口部１６の周囲に並設されている支柱２１の列に、上部架材３７と下部架材３８が夫々取り付けられている。上部架材３７と下部架材３８は、支柱間に設けられるパネル板４１のサイズに適合した間隔にて各支柱上下に任意の結合具３９を用いて取り付けられる。この結合具３９は、支柱２１と上、下部架材３７、３８がパイプを用いているので、パイプ結合具として公知の直交クランプ、自在クランプのような各種クランプ類を使用することができる。上部架材３７及び下部架材３８と支柱２１が一体化されることで囲み取り付け枠が構成されるが、この取り付け枠は構造強度が大きく、パネル板４１の取り付けは次に説明するように大変容易に行うことができる。
【００１８】
例示のパネル板４１は、図３又は図５に示してあるように、一定の大きさ、形状を有するもので、外形を与える外枠４２にパンチングメタル製品材４３を張設した構造を持ち、その外枠４２の上部と下部に夫々係合部４４、４５が設けられている。例示の上部係合部４４は、図９に示したようにフック状の部分を有しており、この部分により上部横架材３７に引っ掛けることで取り付けることができる。例示の下部係合部４５は、図９及び図１０に示したようにフック状の部分と外れ止め４６とを有しており、フック状の部分で引っ掛けた上で外れ止め４６により下部架材３８から離脱するのを防止している。
【００１９】
図９に例示した外れ止め４６は、下部係合部４５を外枠４２に取り付ける取り付け部に支軸４７を用いて、フックを閉じる方向へ回転可能に取り付けた構造を有する。故に、外れ止め４６を９０度回転させることによりフックを開閉し、下部架材３８に対する外れ止めと取り外しを選択することができる。図９の外れ止め４６は水平旋回によるものであるのに対して、図１０に示すのはフックの一部を開閉のために可動とする外れ止め４８である。この外れ止め４８はフックの一部をなしており、かつ支軸４９により内外方向へ回転可能に設けられているもので、フックの一部の上端と係合するストッパー５１を操作することでその回転を止めることができ（図１０（ｂ））、係合を外せば外れ止め４８が自重により回転してフックを開き下部架材３８から取り外しが可能となる構造を有している（図１０（ｄ））。こうした外れ止め手段は例示されたもの以外の方法でも良く、また、例示した下部架材３８に対する外れ止めだけでなく上部架材３７に対しても同様に適用することができる。
【００２０】
パネル板４１は支柱２１、２１間に左右２枚ずつ設置することができ、これによって、開口部周囲の、開閉部２３を除く部分を囲む囲み２２を形成するものである。開口部１６が長方形であり、その長辺の一定が開閉部２３となる場合、開閉部２３の両端と短辺側パネル板、それと長辺側パネル板と短辺側パネル板の四隅には、４箇所の空間が生じるのでこの部分には、コーナーパネル５３がパネル板４１と同じ高さの範囲で設けられている。コーナーパネル５３も、パネル板４１の面材同様に、パンチングメタルを用いて形成したもので良く、ゴムバンドによる繋ぎ止めやねじ止めなど任意の手段５４によって結合し、四隅を塞ぐことができる。
【００２１】
パネル板４１の上部と天井面１５との間には、例えばネット材のような、強度は有していないが異物が飛び込んだり、飛び出したりすることは防止することができる上部空所覆い５５を設けることができる。これに対して、パネル板４１の下部と床面１４の間を覆う下部空所覆い５６は、ゴム板のように可撓性を有すると同時に、或る程度の強靭性を備えているものであることが望ましい。ネット材から成る上部空所覆い５５は、紐などの固定具５７を用いて支柱上部や上部架材３７などに取り付けることができる。他方、ゴム板類から成る下部空所覆い５６は、いわゆるＳ環などの止め具５８による緩い止めで下部架材３８に取り付けることができる。図５参照。
【００２２】
さらに、開閉部２３には、折り畳み式の開閉ゲート５９を設置している。この開閉ゲート５９は、建築工事現場の資材搬入口に設置されるような、いわゆるパネルゲートと同様の構造を持つものなどを使用することができる。同様の構造のものは例えば実開昭６２−１４０８１号などに開示されており、開閉部２３の上部レール６３に吊り下げた、何枚もの短冊状の開閉片６１を、連結部６２に折り曲げ方向への曲げぐせをつけて左右に連結した構造を有するものを使用している。図６、図７にその具体的構成が例示されている。同図中、６４は吊り手で、開閉片６１を吊り下げているものを示す。
【００２３】
このように構成されている、本発明の工事用エレベータの昇降路保護装置１０では、床面１４にダメ穴などと称して設けてある開口部１６を取り囲んで囲み２２を設けるのに、支柱２１を利用し、支柱２１として伸縮可能な構成を有しているから、柱１１と梁１２とデッキプレート１３しか設けられていないような極く初期の段階にて設置することが可能であり、また設置に当たって制約を受けることもない。特に本発明における支柱２１は、請求項２に記載されているように床面１４に設けた受け部３６に下端２４を差し込み、天井面１５に上端を突き当てて固定される構造を有しているから、取り付け相手の床面部１４や天井面１５に対する加工が必要ないか或いはあっても極く僅かで良いため、段取りが非常に早く、作業性が良好である。
【００２４】
また床面１４の開口部１６を効果的に閉じるとともに、開口部１６を昇降路とする工事用エレベータが囲み２２によってほぼ完全に覆われる。従って、工事用エレベータの昇降が妨げられることなく、また開口部１６に誰も接近することがないから常にスムーズに運転が行われ、工事用エレベータの機能を１００パーセント活用することができ、また作業者の安全性も担保されることになる。なお、設置の容易性のために、撤去も著しく容易である。
【図面の簡単な説明】
【００２５】
【図１】本発明に係る工事用エレベータの昇降保護装置の１実施例を示す平面図。
【図２】図１の拡大平面図。
【図３】図２に対する正面図。
【図４】囲みの部分拡大平面図。
【図５】図４に対する正面図。
【図６】開閉部の部分拡大平面図。
【図７】図６に対する正面図。
【図８】（ａ）支柱の１例を示す正面図。（ｂ）図８（ａ）の要部を拡大して示す断面説明図。
【図９】パネル板を上部架材及び下部架材に取り付けた状態を示す一部省略側面図。
【図１０】（ａ）パネル板取り付けのための係合部の他の例であり、かつロック状態を示す平面図。（ｂ）図１０（ａ）に対する側面図。（ｃ）ロックを解除した状態を示す平面図。（ｄ）図１０（ｃ）に対する側面図。
【符号の説明】
【００２６】
１０  工事用エレベータの昇降保護装置
１１  建築物の柱
１２  同じく梁
１４  床面
１５  天井面
１６  開口部
１７  エレベータの搬器
２１  支柱
２２  囲み
２３  開閉部
２５  外筒
２６  内筒
２９  伸縮桿
３１、３３  ばね受け
３２  操作部材
３４  圧縮ばね
３５  当て部材
３６  受け部
３７、３８  架材
４１  パネル板
４４、４５  係合部
４６、４８  外れ止め
５５、５６  空所覆い
５７  固定具
５８  止め具
５９  開閉ゲート
【図１】
2005206350.tif 000003
【図２】
2005206350.tif 000004
【図３】
2005206350.tif 000005
【図４】
2005206350.tif 000006
【図５】
2005206350.tif 000007
【図６】
2005206350.tif 000008
【図７】
2005206350.tif 000009
【図８】
2005206350.tif 000010
【図９】
2005206350.tif 000011
【図１０】
2005206350.tif 000012